(57)【要約】ＬＣＤスクリーンのための背面照射型ライトガイド。入力面からバックライトを受け取り、それをライトガイド内に拡散させるインカップリング格子を備える。拡散させられたバックライトを受け取り、その少なくとも一部を、ＬＣＤスクリーンの方へと出力面から出力するアウトカップリング格子も備える。出力面は入力面の反対側にある。入力格子と出力格子との間には、横方向のオフセットがある。【選択図】図１
2016510481.tif 000002
【特許請求の範囲】
【請求項１】
ライトガイドであって、
バックライト光を受け取る入力面と、受け取ったバックライト光を放射する出力面との２つの対向する面を備える導光板を備え、
前記導光板は、複数のバックライト光源の各々のために、
・  前記バックライト光源の一つの位置に合わせて配されるインカップリング構造であって、前記入力面を通るバックライト光を受け取り、受け取ったバックライト光のほとんどを前記導光板内へと拡散させるインカップリング構造と、
・  前記受け取ったバックライト光の放射のために、前記拡散させられたバックライト光のほとんどを前記出力面を通るように導くアウトカップリング構造と、
を備え、
前記インカップリング構造は、前記入力面及び前記出力面の少なくとも一方に、少なくとも一つの貫入部又は突出部を有し、
前記アウトカップリング構造も、前記入力面及び前記出力面の少なくとも一方に、少なくとも一つの貫入部又は突出部を有し、
前記インカップリング構造はインカップリング格子を備え、前記インカップリング格子は、前記入力面上に、前記受け取ったバックライト光を前記出力面の方へ収束させるように構成される形状を有し、
前記インカップリング構造は、拡散反射要素によって、前記収束させられたバックライト光を前記導光板の中で反射させることにより拡散させるように構成される、
ライトガイド。
【請求項２】
前記インカップリング格子は微小スケールの格子を含む、請求項１に記載のライトガイド。
【請求項３】
前記インカップリング格子はいくつかの形状及び大きさを有し、そのうちの少なくとも一つは、前記ライトガイドが複数のバックライト光源からの光を受け取るようにされている場合に、前記インカップリング構造とそれに対応する位置にあるバックライト光源との距離に応じた形状及び大きさである、請求項１に記載のライトガイド。
【請求項４】
前記インカップリング格子は、収束型またはポジティブ型のフレネルレンズを形成するように構成される、請求項１に記載のライトガイド。
【請求項５】
前記出力面に拡散反射要素が形成される、請求項１に記載のライトガイド。
【請求項６】
前記拡散反射要素は微小スケールの形状を有する、請求項５に記載のライトガイド。
【請求項７】
前記インカップリング構造に位置を合わせて配される反射材を前記出力面上に有する、請求項１から６のいずれかに記載のライトガイド。
【請求項８】
前記反射材は不透明層を形成するようにされる、請求項７記載のライトガイド。
【請求項９】
前記拡散反射要素の部位にダークスポットが生じることを防ぐために、前記反射材は、受け取ったバックライト光の一部を通過させるように構成される透明な層を形成するようにされる、請求項７に記載のライトガイド。
【請求項１０】
前記アウトカップリング構造はアウトカップリング格子を有する、請求項１から６のいずれかに記載のライトガイド。
【請求項１１】
前記アウトカップリング格子はいくつかの形状及び大きさを有し、そのうちの少なくとも一つは、前記ライトガイドが複数のバックライト光源からの光を受け取るようにされている場合に、前記アウトカップリング構造とそれに対応する位置にあるバックライト光源との距離に応じた形状及び大きさである、請求項１０に記載のライトガイド。
【請求項１２】
前記アウトカップリング格子は、前記受け取ったバックライト光を拡散させるように構成される、発散型のフレネルレンズを形成するように構成される、請求項１０に記載のライトガイド。
【請求項１３】
前記アウトカップリング構造は、前記出力面上に形成された拡散反射要素を有する、請求項１から６のいずれかに記載のライトガイド。
【請求項１４】
前記拡散屈折要素は、前記入力面における円錐形の窪みの形状を有する、請求項１３に記載のライトガイド。
【請求項１５】
請求項１から１４のいずれかに記載のライトガイドと、複数のバックライト光源とを備える、タッチ検出装置。
【請求項１６】
前記バックライト光源が白色発光ダイオードである、請求項１５に記載のタッチ検出装置。
【請求項１７】
前記バックライト光源が前記ライトガイドに取り付けられる、請求項１５又は１６に記載のタッチ検出装置。
【請求項１８】
請求項１５から１７のいずれかに記載のタッチ検出装置と、表示スクリーンとを備える、タッチスクリーンデバイス。
【請求項１９】
拡散層と筐体とを備え、前記筐体の中に、前記表示スクリーン、前記拡散層、ライトガイドが、直接的に、または介在部品を介して間接的に支持される、請求項１８に記載のタッチスクリーンデバイス。
【請求項２０】
テレビ受像機、コンピュータディスプレイ、情報スクリーンのいずれかである、請求項１８又は１９に記載のタッチスクリーンデバイス。
【発明の詳細な説明】
【技術分野】
【０００１】
本発明は、一般的には、ディスプレイパネルのための直下型バックライトの拡散に関する。より具体的には、本発明は、光を散乱させるライトガイドに関し、また、光を散乱させるライトガイドと、それと空隙より隔てられた拡散層との組み合わせにより、ディスプレイパネルの直下型バックライトの拡散を行うことに関する。ただし、これらにのみ関連するわけではない。
【背景技術】
【０００２】
液晶ディスプレイ（ＬＣＤ）のようなディスプレイパネル技術は、バックライトを必要とする。コンピュータ用モニタやテレビ受像機のような大きなスクリーンのバックライトは、通常、発光ダイオード（ＬＥＤ）のような光源を、透明なプラスチックで作られた比較的薄い平面状のライトガイドの周りに配することにより、構成される。ライトガイド板は、その表面を通じて、ＬＣＤに向かう光を散乱させる。光はさらに、光を拡散させるプリズム箔を重ねた構造によって、さらに拡散される。この技術は非常によく用いられており、ＬＣＤの光を極めて均一にすることができる。しかし、ＬＥＤから照射される光のかなりの部分が、ＬＥＤとＬＣＤとの間における何回もの反射や屈折によって失われてしまう。このため、ＬＥＤの光はなるべく強いことが求められることになり、多くの熱を発生させる結果となる。この熱は、ＬＣＤ装置の多くの部品の老朽化を早めることになる。照射される光の強さが失われることは、消費電力を増やし、バッテリーにより駆動される機器のバッテリーの寿命を減らしてしまう。
【０００３】
ＫＲ２０１００１３８０６４（Ａ）は、平面照射型のバックライトユニットと、点光源を利用したランプとを開示している。ＵＳ２００８１２３３５０（Ａ１）は、ライトガイドユニットとバックライトユニットと、ライトガイドユニットを使ったディスプレイ装置とを開示している。ＵＳ２０１０２３８６８６（Ａ１）は、半反射部品を用いた、リサイクル式のバックライトを開示している。ＵＳ２００８２３１７７２（Ａ１）は、フラットパネルディスプレイ及びその製造方法を開示している。ＵＳ２００９２８４９５６（Ａ１）は、ライトガイド部品、当該ライトガイド部品を使った平面光源、及びディスプレイ装置を開示している。ＵＳ２００９０８６５０８（Ａ１）は、小型の側面発光ＬＥＤを使った薄型のバックライトを開示している。
【先行技術文献】
【特許文献】
【０００４】
【特許文献１】ＫＲ２０１００１３８０６４（Ａ）
【特許文献２】ＵＳ２００８１２３３５０（Ａ１）
【特許文献３】ＵＳ２０１０２３８６８６（Ａ１）
【特許文献４】ＵＳ２００８２３１７７２（Ａ１）
【特許文献５】ＵＳ２００９２８４９５６（Ａ１）
【特許文献６】ＵＳ２００９０８６５０８（Ａ１）
【摘要】
【０００５】
本発明の第１の態様によれば、次のライトガイドが提供される。このライトガイドは、バックライト光を受け取る入力面と、受け取ったバックライト光を放射する出力面との２つの対向する面を備える導光板を備える。
【０００６】
前記導光板は、複数のバックライト光源の各々のために、次の要素を備える。
・  前記バックライト光源の一つの位置に合わせて配されるインカップリング構造であって、前記入力面を通るバックライト光を受け取り、受け取ったバックライト光のほとんどを前記導光板内へと拡散させるインカップリング構造。
・  前記受け取ったバックライト光の放射のために、前記拡散させられたバックライト光のほとんどを前記出力面を通るように導くアウトカップリング構造。
【０００７】
前記インカップリング構造は、前記入力面及び前記出力面の少なくとも一方に、少なくとも一つの貫入部又は突出部を有する。また、前記アウトカップリング構造も、前記入力面及び前記出力面の少なくとも一方に、少なくとも一つの貫入部又は突出部を有する。
【０００８】
前記インカップリング構造はインカップリング格子を備えてもよい。前記インカップリング格子は、前記入力面上に、前記受け取ったバックライト光を前記出力面の方へ収束させるように構成される形状を有してもよい。
【０００９】
前記インカップリング構造は、拡散反射要素によって、前記収束させられたバックライト光を前記導光板の中で反射させることにより拡散させるように構成されてもよい。
【００１０】
前記インカップリング格子は微小スケールのものであってもよい。前記インカップリング格子は回折格子であってもよい。前記回折格子は前記バックライト光源と中心が合っていてもよく、また前記バックライト光源に対して放射状に設けられてもよい。
【００１１】
前記ライトガイドが複数のバックライト光源からの光を受け取るようにされている場合、前記インカップリング格子は、前記インカップリング構造とそれに対応するバックライト光源との距離に応じて、いくつかの形状や大きさを有してもよい。
【００１２】
前記インカップリング構造は、収束型またはポジティブ型のフレネルレンズを形成するようなインカップリング格子を備えてもよい。
【００１３】
前記拡散反射要素は微小スケールの形状を有してもよい。前記拡散反射要素は、前記出力面における円錐形の窪みの形状を有してもよい。別の実施形態では、前記拡散反射要素は、収束型のフレネルレンズを備えてもよい。
【００１４】
前記拡散反射要素は、前記反射面に反射材を備えてもよい。
【００１５】
前記反射材は不透明層を形成するように配されてもよい。または、前記反射材は、受け取ったバックライト光の一部を通過させるように構成される透明な層を形成するように配されてもよい。これは、拡散反射要素の部位にダークスポットが生じることを防ぐためである。
【００１６】
前記反射材は、銀、二酸化チタン、アルミニウム、紙の少なくともいずれかを含んでもよい。
【００１７】
前記拡散反射要素は積層薄膜により形成されてもよい。
【００１８】
前記アウトカップリング構造は、アウトカップリング格子を備えてもよい。
【００１９】
前記ライトガイドが複数のバックライト光源からの光を受け取るようにされている場合、前記アウトカップリング格子は、前記アウトカップリング構造とそれに対応するバックライト光源との距離に応じて、いくつかの形状や大きさを有してもよい。別の例では、前記格子は、一定の形状を有してもよく、または、複数の異なる角度や、複数の異なる溝密度を有してもよい。
【００２０】
前記アウトカップリング格子は、前記受け取ったバックライト光を拡散させるように構成される、発散型のフレネルレンズを形成するように構成されてもよい。
【００２１】
前記インカップリング格子は、前記出力面及び前記入力面の一方にのみ設けられる場合もあり、また、両方に設けられる場合もある。
【００２２】
前記インカップリング格子が前記出力面及び前記入力面の両方に設けられる場合、前記インカップリング格子は、前記入力面上に形成される拡散反射要素を備えてもよい。
【００２３】
前記拡散反射要素は、前記反射面に反射材を備えてもよい。
【００２４】
前記アウトカップリング構造は、前記出力面上に形成された拡散屈折要素を備えてもよい。
【００２５】
前記拡散屈折要素は、前記入力面における円錐形の窪みの形状を有してもよい。
【００２６】
前記導光板の厚さは、平均で０．５〜１０ｍｍであってもよい。前記導光板の厚さは、平均で０．５〜２．０ｍｍであってもよい。
【００２７】
前記導光板は、規則正しく配される複数のバックライト光源のために設けられてもよい。隣接するバックライト光源の間隔は２ｃｍから５ｃｍであってもよい。隣接するバックライト光源の間隔は、少なくとも２．５ｃｍであってもよい。隣接するバックライト光源の間隔は、最大で４ｃｍであってもよい。
【００２８】
前記ライトガイドが表示スクリーンのためのバックライト光を提供するようにインストールされる場合、前記導光板は透明なウィンドウを提供するように構成されてもよく、この透明なウィンドウによって、前記表示スクリーンを通じて赤外線カメラが赤外イメージを撮影できるようにされてもよい。前記透明なウィンドウは、前記赤外線カメラの視野に対応する、実質的に一様で滑らかな入力面及び出力面を有してもよい。別の例では、前記ライトガイドは、赤外線カメラが内部に突き出るような孔を備えてもよい。別の例では、前記ライトガイドはやはり孔を備え、その孔を通じて赤外線カメラが赤外光を受け取るようにされてもよい。実施形態によっては、前記ライトガイドは、その出力面上に赤外線カメラを設置するための、マーカー等の取り付け位置表示を有してもよい。前記ライトガイドは、赤外線カメラをその出力面上に取り付けるために、ネジやスタッドボルト、リベット等の固定具を有してもよい。
【００２９】
本発明の第２の態様によれば、前記第１の態様のライトガイドと、複数のバックライト光源とを備えるタッチ検出装置が提供される。
【００３０】
前記バックライト光源は、白色の発光ダイオードであってもよい。
【００３１】
前記バックライト光源は、前記ライトガイドに取り付けられてもよい。実施形態によっては、前記タッチ検出装置は、前記バックライト光源と前記ライトガイドとを結合するように構成される支持構造を備えてもよい。
【００３２】
前記タッチ検出装置は赤外線カメラを備えていてもよい。前記赤外線カメラは前記ライトガイドに直接取り付けられてもよい。別の例では、前記赤外線カメラは前記ライトガイドに間接的に取り付けられてもよい。前記赤外線カメラは前記ライトガイドに、支持構造を介して間接的に取り付けられてもよい。
【００３３】
本発明の第３の態様によれば、前記第２の態様のタッチ検出装置と、表示スクリーンとを備えるタッチスクリーンデバイスが提供される。
【００３４】
前記タッチスクリーンデバイスは、さらに筐体を備えてもよい。この筐体の中に、前記表示スクリーンや拡散層、ライトガイドが（直接的、または介在部品を介して間接的に）支持される。
【００３５】
前記タッチスクリーンデバイスはさらに、一つ又は複数の赤外線カメラを備えてもよい。これらの赤外線カメラは、光学タッチ検出のために、表示スクリーンの少なくとも一部の赤外イメージを撮影するように構成される。
【００３６】
前記タッチスクリーンデバイスは更に、前記赤外線カメラにより撮影された赤外イメージを受け取り、それに応じて前記表示スクリーンに接触しているオブジェクトの光学タッチ検出を行うように構成される処理ユニットを備えてもよい。
【００３７】
前記タッチスクリーンデバイスはさらに、前記光学タッチ検出を支援するために、表示スクリーンを赤外光で照らすように構成される、一つ又は複数の赤外光源を備えてもよい。
【００３８】
前記タッチスクリーンデバイスは、テレビ受像機、コンピュータディスプレイ、情報スクリーンのいずれかとして構成されてもよい。
【００３９】
本発明の具現化の非限定的ないくつかの例を示してきたが、これらの例は、本発明の実施において利用される可能性のある特徴やステップを、いくつか選択して説明したものに過ぎない。いくつかの具現化形態は、本発明の例示的な側面のあるものを参照してのみ示されるかもしれない。特定の特徴は、他の例示的形態にも適用可能であることを理解すべきである。
【図面の簡単な説明】
【００４０】
以下、本発明のいくつかの実施形態を、添付の図面を参照して説明する。
【図１】本発明のある実施形態に従うタッチスクリーンデバイスの概略を示す図である。
【図２】図１のタッチスクリーンデバイスを上から見た図である。ただし拡散層を除いてある。
【図３】ライトガイド本体の一部を示した図である。様々なインカップリング格子構造が存在することが描かれている。
【図４】ライトガイド本体の一部を示した図である。フレネル型のネガティブレンズ又は発散レンズを有している。
【図５】インカップリング構造の更なる別の例である。
【図６】ライトガイド本体の出力面に形成されたインカップリング格子構成を描いたものである。
【図７】タッチスクリーンデバイスの一部を、信号処理の観点から描いたブロック図である。
【詳細説明】
【００４１】
以下の説明において、似たような符号は似たような要素を表す。
【００４２】
図１は、本発明のある実施形態に従うタッチスクリーンデバイス１００の概略を示す図である。本発明の実施形態のいくつかの例示的な特徴を説明するために、次の主要部分が示されている。
・  筐体１１０。側面及び背面を有し、またタッチ層１１５を有する。
・  複数のバックライト光源１２０
・  ライトガイド本体１３０。バックライト光源１２０へ向いた入力面１３２と、その反対側の出力面１３４を有する。また、複数のインカップリング構造１４０と、複数のアウトカップリング構造１５０とを備える。
・  拡散層１６０。
・  拡散層支持ピン１６２。複数設けられる。
・  表示スクリーン１７０。
・  複数の赤外光源１８０
・  複数の赤外線カメラ１９０
【００４３】
図１において、インカップリング構造１４０は入力面１３２にしか設けられておらず、アウトカップリング構造１５０は出力面１３４にしか設けられていない。しかし、実施形態によっては、インカップリング構造１４０やアウトカップリング構造１５０は、入力面１３２と出力面１３４のいずれか一方にのみ設けられていてもよいし、両方に設けられていてもよい。
【００４４】
なお、符号の引き出し線は要素一つにしか引かれていない。これは、図面が見にくくなることを防ぐためである。各要素を識別しやすくするように、各要素をパターンを用いて塗っている。また、図１が断面図ではないことは注意すべきである。様々な異なる要素、例えば赤外光源１８０や赤外線カメラ１９０、支持ピン１６２は、同一平面上に位置している必要はない。図１が断面図であると理解すると、同一平面上に位置しているように理解するかもしれないが、必ずしもそうである必要はない。しかしながら、これらの要素は、対角線に沿った断面上に位置している場合がある。
【００４５】
筐体１１０は、例えば、プラスチックや金属、ガラス、木材、カーボンファイバー、グラスファイバー等の材料で作られる。タッチ層１１５は透明性を有する材料で作られる。例えば透明又は半透明のガラス、アクリル版のようなプラスチック、ポリカーボネード、エポキシ等で作られてもよく、これらの組み合わせによって作られてもよい。
【００４６】
バックライト光源１２０は、例えば、発光ダイオード（ＬＥＤ）や有機ＬＥＤ（ＯＬＥＤ）、白熱灯等を有してもよい。
【００４７】
ライトガイド本体１３０は透明性を有する材料を使って作られる。例えば透明又は半透明のガラス、アクリル版のようなプラスチック、ポリカーボネード、エポキシ等で作られてもよく、これらの組み合わせによって作られてもよい。ライトガイド本体は、微細な構造を有するものの、その厚さは実質的に一様であってよい。
【００４８】
図１において、ライトガイド本体１３０は平らな板である。ライトガイド本体１３０は、例えば、平均の厚さが０．５ｍｍから２ｍｍの間のものであることができる。
【００４９】
図１において、インカップリング構造１４０及びアウトカップリング構造１５０は、ライトガイド本体１３０に一体化される。例えば、インカップリング構造１４０及び／又はアウトカップリング構造１５０は、ライトガイド本体１３０に接着されたり、ライトガイド本体１３０を溶かして形成されたりすることにより、ライトガイド本体１３０に一体化されてもよい。ライトガイド本体１３０が型を用いて成型により形成される別の例では、インカップリング構造１４０及び／又はアウトカップリング構造１５０も、（おそらくその他の要素と共に、）一緒に成型により形成されてもよい。インカップリング構造１４０（及び／又はアウトカップリング構造１５０）がライトガイド本体１３０の表面に取り付けられるような例では、これらの構造は、ライトガイド本体１３０とは異なる材質で作られたものであってもよい。しかし多くの場合、インカップリング構造１４０及びアウトカップリング構造１５０は、ライトガイド本体１３０に関して前に述べたような、透明又は半透明の材質で作られている。
【００５０】
図１において、各インカップリング構造１４０は、それぞれバックライト光源１２０と位置が合うようにされている。図１において、インカップリング構造１４０は、横方向においてバックライト光源１２０と中心が合うような領域を形成している。そして、バックライト光源１２０からのバックライト光のほとんどを受け取って出力し、これをライトガイド本体１３０の中で横方向に伝搬させる。インカップリング構造１４０は、ライトガイド本体の側面をカバーするように設けられてもよく、その面積は、入力面１３２のうち照らされる領域の、例えば７０％から１０００％であってもよい。なお典型的には８０％から２００％である。すなわち、インカップリング構造１４０は、照らされる領域（バックライト光の９０％以上を受け取る領域）よりも少し広い範囲をカバーするように設けられてもよい。インカップリング構造の遮光性が高く、インカップリング構造から漏れ出るバックライト光の量が少ない場合、表示スクリーン上に暗領域が形成される場合がある。そこで、照らされる入力面１３２のうち少しの部分を、インカップリング構造１４０でカバーされないように残しておくと、表示スクリーン１７０へ漏れ出るバックライトを増やすことができる。このようにすると、インカップリング構造により形成される可能性のある暗領域が生じることを防ぐことができる。
【００５１】
一方、インカップリング構造の遮光性が低い場合は、出力面１３４（又はその部分のうち、インカップリング構造の位置に対応する部分）を、反射材又は光を吸収する材料で覆ってしまってもよい。そのような材料としては、金属粒子や金属箔、紙、淡色のプラスチック、インク、煤、粘着テープなどがある。反射材によるカバーは、バックライト光を光源１２０から表示スクリーン１７０へと導く事の効率を上げるという効果をもたらす。また、光を吸収する材料によるカバーは、安価であるという利点を有し、特に、少しだけシャドーを付けなければならないような場合は有利である。
【００５２】
インカップリング構造１４０は、通常、屈折部、回折部、反射部、及びこれらが組み合わされた部分の少なくともいずれかを有する。アウトカップリング構造１５０もまた、通常、屈折部、回折部、反射部、及びこれらが組み合わされた部分の少なくともいずれかを有する。
【００５３】
拡散層１６０は、例えば、多くのＬＣＤテレビに用いられている拡散スクリーンであることができる。
【００５４】
表示スクリーン１７０は、一つ又は複数のＬＣＤスクリーンを含むことができる。ある例示的実施形態においては、表示スクリーン１７０は、隣合うように並べられた複数のＬＣＤスクリーンであることができる。ある例においては、これら複数のＬＣＤスクリーンは、その端部が隣接するＬＣＤスクリーンの端部に僅かに重なり合うように配される。これは、ＬＣＤスクリーン間の隙間を減少させるためである。
【００５５】
赤外光源１８０は、例えば、赤外ＬＥＤや赤外ハロゲンランプ、赤外電球であることができる。ある実施形態においては、赤外光源及びバックライト光源は同じ光源から成る。そのような光源は、白色光を生成することができると共に、タッチスクリーンデバイスに接触するオブジェクトを赤外線カメラ１９０が検出できるように当該オブジェクトを照らすに十分な光量の赤外線を生成することができる。
【００５６】
赤外線カメラ１９０は小型の赤外線カメラであることができる。搭載される個数や所望のタッチ検出精度、検出されるべき接触オブジェクトのサイズに応じて、数１０〜数百万画素の解像度を有するものが使用される。これらのカメラは、例えば、矩形格子又は六角格子上に５０ｍｍ〜１５０ｍｍの間隔で配されてもよい。カメラの解像度は、例えば、４０×４０ピクセル〜２００×２００ピクセルであることができる。カメラのフレームレートは、例えば、毎秒６０フレーム〜３００フレームであることができる。これらのカメラは、例えば、Ａｐｔｉｎａ  ＭＴ９Ｖ０３４Ｃ１２ＳＴＭのようなタイプのものであることができる。
【００５７】
赤外線カメラは、例えば、モノクロ又はカラーのＣＭＯＳやＣＣＤカメラと、赤外線透過フィルタを使って作成することができる。赤外線透過フィルタは、シート部品であってもよいし、カメラのレンズに一体化されてもよい。後者の場合、例えばコーティング剤のような材料によって赤外線透過フィルタが形成されてもよい。
【００５８】
図２は、タッチスクリーンデバイス１００を上から見た図である。ただし、ライトガイド本体１３０の構造が見えるように、拡散層１７０を除いてある。図２において、アウトカップリング構造１５０は、単純な実施形態の一例として、矩形で描かれている。矩形のアウトカップリング構造は、非常に容易に形成することができる。実施形態によっては、環状のアウトカップリング構造が使用されることもあり、そのようなアウトカップリング構造は、例えば、インカップリング構造１４０と同軸に配される。
【００５９】
ライトガイド領域には、バックライト光源１２０及び（例としてそれと同軸に配された）インカップリング構造１４０が設けられている。また、バックライト光を、表示スクリーン（図１参照）の方へなるべく一様に広げていくように作られるアウトカップリング構造も設けられる。
【００６０】
赤外線カメラ１９０は複数設けられる。これらの赤外線カメラ１９０の視野は、全体として、表示スクリーンの全部をカバーする。また、カバーしうるようにこれらの赤外線カメラが配される。図２の実施形態においては、赤外光源１８０は、アウトカップリング構造が存在する領域において、ほぼ等間隔に配されている。これは、赤外光が表示スクリーンに一様に拡散していくようにするためである。
【００６１】
図２には、支持ピン１６２が二つだけ描かれている。支持ピン１６２は、バックライト光や赤外線カメラ１９０の邪魔にならないような位置に配される。また、支持ピン１６２の配置間隔は、それらが支持する拡散層の機械的性質を越えないようにされる。
【００６２】
支持ピン１６２は、ライトガイド本体を所定の位置に固定するためにも使用されてもよい。例えば、支持ピン１６２は、筐体１１０の背面に固定されてもよい。ライトガイド本体１３０には、支持ピンを通す孔が設けられてもよい。この孔は、ライトガイド本体１３０が支持ピン１６２に沿って動くことを防止するために、支持ピンをぴったりと嵌めることができるものであってもよい。または、そのような動きを防止するための突起やその他の固定構造が、ライトガイド本体や支持ピンに設けられてもよい。
【００６３】
インカップリング構造の様々な例が、図３から図６に描かれている。
【００６４】
図３は、様々なインカップリング格子構造を有するライトガイド本体の一部を示した図である。図３においては、５つのタイプのインカップリング格子構造が描かれている。これらはライトガイド本体１３０の入力面１３２に設けられ、それぞれ互いに隣接している。実施形態によっては、インカップリング構造は、２つ又はそれ以上の異なるインカップリング格子を有する。実施形態によっては、インカップリング構造は、単一のタイプのインカップリング格子しか含まない。
【００６５】
インカップリング格子は、図３における第１の部分３１０や第２の部分３２０．第５の部分３５０のように、回折格子であってもよい。なお、これらは微小スケールの格子である。また、インカップリング格子は、第３の部分３３０や第４の部分３４０のように、回折格子ではない微小スケール格子でやってもよい。第３の部分３３０や第４の部分３４０においては、光は、格子の表面で屈折及び／又は反射する。他のタイプの微小スケール又は大きなスケールの格子（ｇｒａｔｉｎｇ）が用いられてもよい。実際に、図４には、フレネル型のネガティブレンズ又は発散レンズを有するライトガイド本体の一部が描かれている。ライトガイド上部から見ると（すなわち図２の方向から見ると）、実施形態によって、フレネルレンズ４１０は環状である場合や線状である場合、楕円形である場合、多角形である場合など、様々な形状であることがある。そして、光を、ライトガイド本体１３０の中で、所望の方向に拡散させる。更に、図５には、インカップリング構造１４０の別の実施形態が描かれている。この例は、ポジティブ又は収束型のフレネルレンズ５１０を有する。フレネルレンズ５１０は、バックライト光を、ライトガイド本体の出力面１３４の方へ集める。出力面１３４には拡散反射要素５２０が設けられる。拡散反射要素５２０は、横向きの反射を生じさせる形状を備えている。図５の拡散反射要素は非対称的な形状を有しており、例として、直線的な壁面５２２と湾曲した壁面５２４を有している。もちろん、実施形態によっては、拡散反射要素は対称的なものであることができる。また、出力面１３４に非対称性を形成するために、直線的な壁面５２２に反射コーティング５２６を設けてもよい（図５参照）。もちろん、反射コーティングも対称的なものであってもよいし、非対称的なものであってもよい。反射コーティング５２６はまた、連続的なものであってもよいが、非連続的なものであってもよい。例えば、反射コーティング５２６中に孔やピンホールが設けられてもよい。そのような孔やピンホールは、バックライト光のうち所望の部分が拡散反射要素５２０を通過するように設けられてもよい。反射コーティング５２６は、塗装によって設けられてもよいし、出力面１３４の表面又は内部に反射材を接着することにより設けられてもよい。反射材は不透明層を形成するように配されてもよい。または、反射材は、受け取ったバックライト光の一部を通過させるように構成される透明な層を形成するように配されてもよい。これは、拡散反射要素のところにダークスポットが生じることを防ぐためである。
【００６６】
ある実施形態において、拡散反射要素５２０は、積層薄膜により形成される。
【００６７】
反射材は、銀、二酸化チタン、アルミニウム、紙の少なくともいずれかによって形成されてもよい。
【００６８】
図３及び４のインカップリング構造は、拡散屈折要素（ｓｐｒｅａｄｉｎｇ  ｒｅｆｒａｃｔｏｒ）と称されてもよい。
【００６９】
図６には、ライトガイド本体の出力面に形成されたインカップリング格子６１０が描かれている。出力面のインカップリング格子６１０は、ライトガイド本体内で光を横方向に反射するように構成される。出力面のインカップリング格子６１０は、拡散反射要素５２０と同じような反射材で覆われることができる。これは、バックライト光源１２０の位置において、ライトガイド本体１３０を通って光が出ていくことを減らすためである。
【００７０】
アウトカップリング構造１５０も、インカップリング構造と同様に作られることができる。例えば、図３，４，６を上下逆さまにして見ると、描かれている構造は、アウトカップリング構造として使うことができる。アウトカップリング構造１５０は、ライトガイド本体１３０の入力面１３２及び１３４の片面のみに設けられず場合もあるが、両面に設けられる場合もある。
【００７１】
図７は、タッチスクリーンデバイス１００の一部を、信号処理の観点から描いたブロック図である。タッチスクリーンデバイス１００はメモリ７２０を備える。メモリ７２０は、コンピュータプログラムコード７５０やその他の情報（例えば待機時に格納されるべき較正Ｐａｒａｍｅｔｅｒｓ）を格納する不揮発性メモリ７４０を含んでもよい。タッチスクリーンデバイス１００はまた、コンピュータプログラムコード７５０を使ってタッチスクリーンデバイス１００の動作を制御するプロセッサ７１０や、プロセッサ７１０によりコンピュータプログラムコード７５０を走らせるためのワーキングメモリ７３０、外部のデバイスやタッチスクリーンデバイス７８０と通信するための通信ユニット７７０を備える。プロセッサ７１０は例えば、主制御ユニット（ＭＰＵ）やマイクロプロセッサ、デジタルシグナルプロセッサ（ＤＳＰ）、特定用途向け集積回路（ＡＳＩＣ）、フィールドプログラマブルゲートアレイ、マイクロコントローラでもよく、こうした要素を組合わせたものでもよい。バッテリー７９０は、外部電源の供給なしに、又は外部電源が使用不能の場合でも、タッチスクリーンデバイス１００が動作しうるように設けられる。
【００７２】
様々な実施形態が紹介されてきた。本明細書において、「備える」や「有する」「含む」等は、その他の要素が更に含まれることを排除しない意図で用いられており、記載されていないものしか備えられないという意味では使われていない。
【００７３】
上述の説明は非限定的な例の特定の実装例を用いてなされたものであり、また、本発明を実施するために最も適した手法であると発明者が現在考えている形態の完全かつ有益な説明を用いてなされたものである。しかし、当業者には明らかであるように、本発明の実施形態は本明細書で紹介された具体的な実施形態に限定されるものではない。本発明の実施形態は、本発明の特徴を逸脱せずに、同様の手段や様々な組み合わせを用いて具現化されることができる。例えば、拡散層をライトガイド本体１３０に対して支持するために、支持ピン１６２を使うのではなく、圧力ガスを充填した透明なプラスチックバッグを用いてもよい。さらに別の例では、透明又は白色のプラスチックまたは金属のストリングによる網が、拡散層の支持のために用いられてもよい。さらに別の例では、拡散層は、表示スクリーンにより支持されるように構成されてもよく、及び／又は、支持要素が不要なほどの固さを有するものであってもよい。
【００７４】
さらに、本発明の上述の実施形態は、その他の特徴の対応する使用なしに、利益をもたらすために使用されうる。従って、上述の説明は、本発明の原理の説明に過ぎないと考えるべきであり、これらを限定するものであると考えてはならない。従って、本発明の範囲は添付の特許請求の範囲によってのみ制限される。
【図１】
2016510481.tif 000003
【図２】
2016510481.tif 000004
【図３】
2016510481.tif 000005
【図４】
2016510481.tif 000006
【図５】
2016510481.tif 000007
【図６】
2016510481.tif 000008
【図７】
2016510481.tif 000009
【国際調査報告】
2016510481.tif 000010
2016510481.tif 000011
2016510481.tif 000012
2016510481.tif 000013
2016510481.tif 000014